(57)【特許請求の範囲】
【請求項１】
キャビネットに基部を固定されて同キャビネットから略後方に延出した電源コードを有するテレビジョンが被載置体に載置されたときに同テレビジョンを同被載置体に固定することにより、振動が加えられた際にテレビジョンが転倒することを防止するテレビジョン固定構造において、
上記被載置体は、上記テレビジョンが載置される被載置用の電気機器であり、
上記被載置用の電気機器には、当該電気機器の底面と背面とで作られる稜の部分を切り欠いた切欠部と、当該切欠部の複数の箇所に対して着脱可能とされることにより同切欠部に固定される位置を変更可能とされるとともに略下方に延出して上記電源コードを掛止可能な掛止部とが設けられ、当該掛止部には、下端部から略水平方向であって互いに略反対方向に延出して上記掛止した電源コードの脱落を防ぐ一対の延出部が形成され、さらに、当該一対の延出部のそれぞれには、先端部から略上方に突出した突起が形成され、
上記切欠部には、複数の固定用穴が上記複数の箇所のそれぞれに対応して設けられ、
上記掛止部は、上記複数の固定用穴に挿入可能な穴挿入部を備え、当該穴挿入部が同固定用穴に挿入されて回転されることにより上記複数の箇所のいずれかに固定され、
上記テレビジョンは、上記電源コードが上記突起と上記切欠部の間から上記延出部と上記切欠部の間に挿入されて上記掛止部に巻かれて掛止されることにより、上記被載置用の電気機器に固定されることを特徴とするテレビジョン固定構造。
【請求項２】
延出した絶縁電線を有する電気機器が被載置体に載置されたときに同電気機器を同被載置体に固定する電気機器固定構造であって、
上記被載置体には、本体部と、当該本体部に固定される位置を変更可能とされて上記絶縁電線を掛止可能な掛止部とが設けられ、
上記電気機器は、上記絶縁電線が上記掛止部に掛止されて上記被載置体に固定されることを特徴とする電気機器固定構造。
【請求項３】
上記被載置体は、上記電気機器が載置される被載置用の電気機器であることを特徴とする請求項２に記載の電気機器固定構造。
【請求項４】
上記被載置用の電気機器の本体部には、当該電気機器の底面と側面とで作られる稜の部分を切り欠いた切欠部が形成され、
上記掛止部は、延出した形状とされるとともに、上記切欠部から略下方に延出するように固定されることを特徴とする請求項３に記載の電気機器固定構造。
【請求項５】
上記掛止部は、上記本体部の複数の箇所に対して着脱可能とされていることを特徴とする請求項３または請求項４に記載の電気機器固定構造。
【請求項６】
上記本体部には、複数の固定用穴が上記複数の箇所のそれぞれに対応して設けられ、
上記掛止部は、上記複数の固定用穴に挿入可能な穴挿入部を備え、当該穴挿入部が同固定用穴に挿入されて回転されることにより上記複数の箇所のいずれかに固定されることを特徴とする請求項５に記載の電気機器固定構造。
【請求項７】
上記本体部には、複数の固定用穴が上記複数の箇所のそれぞれに対応して設けられ、
上記掛止部は、上記複数の固定用穴に挿入可能な穴挿入部を備え、当該穴挿入部が同固定用穴に挿入されて当該挿入された方向とは異なる方向にスライドされることにより上記複数の箇所のいずれかに固定されることを特徴とする請求項５に記載の電気機器固定構造。
【請求項８】
上記掛止部は、上記本体部の表面を移動可能とされるとともに、移動可能な範囲の中からいずれかの位置で固定可能とされていることを特徴とする請求項３〜請求項７のいずれかに記載の電気機器固定構造。
【請求項９】
上記本体部には、上記掛止部の移動可能な範囲に対応する固定用溝が形成され、
上記掛止部は、上記固定用溝に挿入されて当該挿入された方向と略同じ方向を回転軸として回転可能とされた溝挿入部を備え、上記移動可能な範囲の中からいずれかの位置で同溝挿入部が所定の固定位置に回転されると固定され、所定の移動位置に回転されると上記固定用溝に沿って移動可能とされることを特徴とする請求項８に記載の電気機器固定構造。
【請求項１０】
上記本体部には、上記掛止部の移動可能な範囲に対応する固定用溝が形成され、
上記掛止部は、上記固定用溝に沿ってスライド動可能に同固定用溝に挿入された溝挿入部と、本掛止部を上記固定用溝に沿った位置で固定可能な固定用ねじとを備えることを特徴とする請求項８に記載の電気機器固定構造。
【請求項１１】
延出した絶縁電線を有する被載置用の電気機器と、別の延出した絶縁電線を有して同被載置用の電気機器に載置された載置用の電気機器と、を互いに固定する電気機器固定構造であって、
上記被載置用および載置用の電気機器のいずれか一方には、本体部と、当該本体部に固定される位置を変更可能とされて他方の電気機器の絶縁電線を掛止可能な掛止部とが設けられ、上記被載置用および載置用の電気機器は、同他方の電気機器の絶縁電線が同掛止部に掛止されて互いに固定されることを特徴とする電気機器固定構造。
【請求項１２】
延出した絶縁電線を有する電気機器が被載置体に載置されたときに同電気機器を同被載置体に固定する電気機器固定方法であって、
上記被載置体に、本体部と、当該本体部に固定される位置を変更可能とされて上記絶縁電線を掛止可能な掛止部とを設け、
上記絶縁電線を上記掛止部に掛止させることにより、上記電気機器を上記被載置体に固定することを特徴とする電気機器固定方法。
【請求項１３】
延出した絶縁電線を有する被載置用の電気機器と、別の延出した絶縁電線を有して同被載置用の電気機器に載置された載置用の電気機器と、を互いに固定する電気機器固定方法であって、
上記被載置用および載置用の電気機器のいずれか一方に、本体部と、当該本体部に固定される位置を変更可能とされて他方の電気機器の絶縁電線を掛止可能な掛止部とを設け、同他方の電気機器の絶縁電線を同掛止部に掛止させることにより、上記被載置用および載置用の電気機器を互いに固定することを特徴とする電気機器固定方法。
【発明の詳細な説明】
【技術分野】
【０００１】
本発明は、テレビジョン等の電気機器が被載置体に載置されたときに同電気機器を同被載置体に固定するテレビジョン固定構造、電気機器固定構造および電気機器固定方法に関する。
【背景技術】
【０００２】
従来、地震等の際に被載置体に載置されたテレビジョンが転倒することを防止する技術として、特許文献１〜４に開示されたものが知られている。
特許文献１に開示された技術は、テレビジョンの背面に支持部を設けておくとともにテレビジョン載置台の背面上部にベルトホルダーを取り付けておき、テレビジョン載置台にテレビジョンを載置したとき、ベルトを支持部に引っ掛けた後、ベルトホルダーで同ベルトを保持するものである。
特許文献２に開示された技術は、テレビジョンの背面にバンド挿入孔を形成しておき、ラックにテレビジョンを載置したとき、バンドに設けられた嵌入部をバンド挿入孔に挿入したのち、同バンドをネジでラックの背面上部に固定するものである。
特許文献３に開示された技術は、スタンドの背面上部にバックルのアンカー部を取り付けるとともにテレビジョンの背面に同アンカー部の受け部を取り付けておき、スタンドにテレビジョンを載置したとき、アンカー部を受け部に挿入して固定するものである。
特許文献４に開示された技術は、予め、概略鉤状になった鉤状片を用意するとともに、テレビジョンの地板後部にスリット穴を形成している。そして、スタンドにテレビジョンを載置したとき、テレビジョンのスリット穴に鉤状片の一辺を差し込むとともに、他の一辺をスタンドの天板後面にねじ止めして固定するものである。
【０００３】
また、１９インチ程度以下のテレビジョンでは、省スペースのため、ビデオデッキやＤＶＤプレーヤ等の電気機器の上に直接置かれることがある。
【０００４】
【特許文献１】特開平９−１５４６５６号公報
【特許文献２】特開平９−３７１９１号公報
【特許文献３】特開平５−６８２２０号公報
【特許文献４】実開昭５５−１５０５５２号公報
【発明の開示】
【発明が解決しようとする課題】
【０００５】
上述した従来の技術は、テレビジョンをテレビジョン載置台等に固定するものである。従って、テレビジョンを他の電気機器の上に直接置いたときには、テレビジョンは電気機器に固定されないことになる。また、別途、ベルト、バンド、バックル、鉤状片という部材が必要であった。そこで、このような部材がなくても、被載置用の電気機器等の被載置体にテレビジョンを固定して地震等の際にテレビジョンが転倒することを防ぎたいという希望があった。
【０００６】
本発明は、上記課題にかんがみてなされたもので、別途ベルト等の部材を用意する必要なく、被載置体に対して、絶縁電線の取り付け位置が異なる種々のテレビジョン等の電気機器を容易かつ確実に固定することが可能なテレビジョン固定構造、電気機器固定構造および電気機器固定方法の提供を目的とする。
【課題を解決するための手段】
【０００７】
上記目的を達成するため、請求項１にかかる発明は、キャビネットに基部を固定されて同キャビネットから略後方に延出した電源コードを有するテレビジョンが被載置体に載置されたときに同テレビジョンを同被載置体に固定することにより、振動が加えられた際にテレビジョンが転倒することを防止するテレビジョン固定構造において、上記被載置体は、上記テレビジョンが載置される被載置用の電気機器であり、上記被載置用の電気機器には、当該電気機器の底面と背面とで作られる稜の部分を切り欠いた切欠部と、当該切欠部の複数の箇所に対して着脱可能とされることにより同切欠部に固定される位置を変更可能とされるとともに略下方に延出して上記電源コードを掛止可能な掛止部とが設けられ、当該掛止部には、下端部から略水平方向であって互いに略反対方向に延出して上記掛止した電源コードの脱落を防ぐ一対の延出部が形成され、さらに、当該一対の延出部のそれぞれには、先端部から略上方に突出した突起が形成され、上記切欠部には、複数の固定用穴が上記複数の箇所のそれぞれに対応して設けられ、上記掛止部は、上記複数の固定用穴に挿入可能な穴挿入部を備え、当該穴挿入部が同固定用穴に挿入されて回転されることにより上記複数の箇所のいずれかに固定され、上記テレビジョンは、上記電源コードが上記突起と上記切欠部の間から上記延出部と上記切欠部の間に挿入されて上記掛止部に巻かれて掛止されることにより、上記被載置用の電気機器に固定される構成としてある。
【０００８】
電源コードを掛止する掛止部は、切欠部の複数の箇所のいずれかに取り付けられて固定される。固定された掛止部は、テレビジョンがある方向とは反対方向に延出しているので、電源コードが掛止部から外れにくくなっている。また、掛止部に掛止された電源コードは、下方に移動すると、掛止部の下端部から同掛止部の延出方向とは異なる略水平方向に延出した一対の延出部に当たってそれ以上移動することができなくなるので、脱落が防がれる。さらに、同電源コードは、延出部の先端部側に移動すると、延出部の先端部から略上方に突出した突起に当たってそれ以上移動することができなくなるので、脱落が防がれる。
【０００９】
テレビジョンのキャビネットから延出した電源コードが掛止部に掛止されると、テレビジョンは掛止部が設けられた被載置用の電気機器に固定される。テレビジョンに設けられた電源コードを利用することにより、別途ベルト、バンド、バックル、鉤状片、等の部材を用意する必要がない。ここで、被載置用の電気機器の切欠部に固定される掛止部は、固定される位置を変更することが可能である。すると、電源コードの取り付け位置が異なる種々のテレビジョンに対して、引っ掛けやすい位置で電源コードを掛止することができる。すなわち、便利であるとともに、別途ベルト等の部材を用意する必要なく、被載置用の電気機器に対して、電源コードの取り付け位置が異なる種々のテレビジョンを容易かつ確実に固定することができる。その結果、地震等の際にテレビジョンが転倒することを防ぐことができる。
【００１０】
上記電源コードがキャビネットから略後方に延出しているとは、厳密に後方に延出しているのみならず、斜め後方に延出している場合を含む。上記掛止部が略下方に延出しているとは、厳密に下方に延出しているのみならず、斜め下方に延出している場合を含む。略水平方向とは、厳密に水平な方向のみならず、水平方向から斜め上方とされた方向や斜め下方とされた方向を含む。上記延出部が互いに略反対方向に延出しているとは、厳密に１８０°（度）異なる方向に延出しているのみならず、１８０°異なる方向に対して斜めにずれた方向を含む。上記突起が略上方に突出しているとは、厳密に上方に突出しているのみならず、斜め上方に突出している場合を含む。以下も、同様である。
上記被載置用の電気機器は、ビデオデッキ、ＤＶＤプレーヤ、等、様々な電気機器が考えられる。
【００１１】
ところで、テレビジョン以外の電気機器を被載置体に固定する場合にも、本発明を適用することが可能である。そこで、請求項２にかかる発明は、延出した絶縁電線を有する電気機器が被載置体に載置されたときに同電気機器を同被載置体に固定する電気機器固定構造であって、上記被載置体には、本体部と、当該本体部に固定される位置を変更可能とされて上記絶縁電線を掛止可能な掛止部とが設けられ、上記電気機器は、上記絶縁電線が上記掛止部に掛止されて上記被載置体に固定される構成としてある。
【００１２】
電気機器が被載置体に載置されたとき、電気機器から延出した絶縁電線が掛止部に掛止されると、電気機器は掛止部が設けられた被載置体に固定される。電気機器に設けられた絶縁電線を利用することにより、別途ベルト等の部材を用意する必要がない。ここで、被載置体の本体部に固定される掛止部は、固定される位置を変更することが可能である。すると、絶縁電線の取り付け位置が異なる種々の電気機器に対して、引っ掛けやすい位置で絶縁電線を掛止することができる。すなわち、便利であるとともに、別途ベルト等の部材を用意する必要なく、被載置体に対して、絶縁電線の取り付け位置が異なる種々の電気機器を容易かつ確実に固定することができる。その結果、地震等の際に電気機器が転倒することを防ぐことができる。
上記絶縁電線は、絶縁物で囲まれた導線であればよく、電源コード、アース線、等、様々なものが考えられる。
【００１３】
ここで、請求項３にかかる発明のように、上記被載置体は、上記電気機器が載置される被載置用の電気機器である構成としてもよい。すると、被載置用の電気機器に載置した電気機器を同被載置用の電気機器に固定することができる。
【００１４】
その際、請求項４にかかる発明のように、上記被載置用の電気機器の本体部には、当該電気機器の底面と側面とで作られる稜の部分を切り欠いた切欠部が形成され、上記掛止部は、延出した形状とされるとともに、上記切欠部から略下方に延出するように固定される構成としてもよい。掛止部は、載置した電気機器がある方向とは反対方向に延出するように固定されるので、絶縁電線が掛止部から外れにくくなる。
上記側面は、ある面を正面としたときに左右となる面であってもよいし、背面であってもよいし、正面であってもよく、これらの場合の全てが上記側面に含まれる。
【００１５】
掛止部を被載置用の電気機器から略下方に延出させた形状とすると絶縁電線が掛止部から外れにくくなる点で有用であるものの、上記掛止部は、延出した形状とされるとともに、上記被載置用の電気機器の側面から当該側面に対して略垂直方向に延出するように固定される構成としてもよい。この場合であっても、絶縁電線が掛止部に掛止されるので、被載置用の電気機器に載置した電気機器を同被載置用の電気機器に固定することができる。
【００１６】
上記掛止部は、様々な形状が考えられる。その一例として、上記掛止部には、下端部から同掛止部の延出方向とは異なる方向に延出して上記掛止した絶縁電線の脱落を防ぐ延出部が形成されている構成としてもよい。すなわち、掛止部に掛止された絶縁電線は、下方に移動すると、掛止部の下端部から同掛止部の延出方向とは異なる方向に延出した延出部に当たってそれ以上移動することができなくなるので、脱落が防がれる。従って、さらに掛止部から絶縁電線が外れにくくなり、さらに確実に電気機器を固定することが可能となる。
【００１７】
上記延出部は、略水平方向に延出するとともに、先端部から略上方に突出した突起が形成されている構成としてもよい。すなわち、掛止部に掛止された絶縁電線は、延出部の先端部側に移動すると、延出部の先端部から略上方に突出した突起に当たってそれ以上移動することができなくなるので、脱落が防がれる。従って、さらに掛止部から絶縁電線が外れにくくなり、さらに確実に電気機器を固定することが可能となる。
【００１８】
また、固定される位置が変更可能な掛止部は、様々な構成が考えられる。その一例として、請求項５にかかる発明は、上記掛止部は、上記本体部の複数の箇所に対して着脱可能とされている構成としてある。すなわち、掛止部は本体部の複数の箇所のいずれかに取り付けられて固定されるので、簡易な構成で、絶縁電線の取り付け位置が異なる種々の電気機器を容易かつ確実に固定することができる。
【００１９】
着脱可能な掛止部の一例として、上記本体部には、複数の固定用穴が上記複数の箇所のそれぞれに対応して設けられ、上記掛止部は、上記複数の固定用穴に挿入可能な穴挿入部を備え、当該穴挿入部が同固定用穴に挿入されて回転されることにより上記複数の箇所のいずれかに固定される構成としてもよい。すなわち、本体部の複数の固定用穴のいずれかに掛止部の穴挿入部を挿入して回転させるという簡単な操作を行うだけで、掛止部は同固定用穴のいずれかに取り付けられて固定される。
また、上記掛止部は、上記穴挿入部が同固定用穴に挿入されて当該挿入された方向とは異なる方向にスライドされることにより上記複数の箇所のいずれかに固定される構成としてもよい。すなわち、本体部の複数の固定用穴のいずれかに掛止部の穴挿入部を挿入し、挿入した方向とは異なる方向にスライドさせると、掛止部は同固定用穴のいずれかに取り付けられて固定される。
【００２０】
さらに、請求項８にかかる発明は、上記掛止部は、上記本体部の表面を移動可能とされるとともに、移動可能な範囲の中からいずれかの位置で固定可能とされている構成としてある。すなわち、掛止部を本体部の表面における移動可能な範囲の中からいずれかの位置で固定することができるので、絶縁電線の取り付け位置が異なる種々の電気機器に対して、さらに引っ掛けやすい位置で絶縁電線を掛止することが可能となる。
なお、上記移動可能な掛止部を複数設けてもよい。
【００２１】
本体部の表面を移動可能な掛止部の一例として、上記本体部には、上記掛止部の移動可能な範囲に対応する固定用溝が形成され、上記掛止部は、上記固定用溝に挿入されて当該挿入された方向と略同じ方向を回転軸として回転可能とされた溝挿入部を備え、上記移動可能な範囲の中からいずれかの位置で同溝挿入部が所定の固定位置に回転されると固定され、所定の移動位置に回転されると上記固定用溝に沿って移動可能とされる構成としてもよい。すなわち、掛止部の溝挿入部を回転させるという簡単な操作を行うだけで、掛止部は同固定用溝に沿った位置で固定される。
また、上記掛止部は、上記固定用溝に沿ってスライド動可能に同固定用溝に挿入された溝挿入部と、本掛止部を上記固定用溝に沿った位置で固定可能な固定用ねじとを備える構成としてもよい。すなわち、固定用ねじを操作することにより、掛止部を固定用溝に沿った位置で固定することができる。
【００２２】
ここで、上記掛止部を、上記被載置用の電気機器に対して略水平方向に移動可能としてもよい。すると、簡易な構成で、絶縁電線の取り付け位置が異なる種々の電気機器を被載置体に対して容易かつ確実に固定することが可能となる。
また、上記掛止部を、上記被載置用の電気機器に対して略上下方向に移動可能としてもよい。絶縁電線を掛止した掛止部を上下させると、同絶縁電線の張力を調節することができるので、地震等の際により確実に電気機器の転倒を防ぐことが可能となる。
【００２３】
ところで、絶縁電線を有する電気機器どうしを固定する場合にも、本発明を適用することが可能である。そこで、請求項１１にかかる発明は、延出した絶縁電線を有する被載置用の電気機器と、別の延出した絶縁電線を有して同被載置用の電気機器に載置された載置用の電気機器と、を互いに固定する電気機器固定構造であって、上記被載置用および載置用の電気機器のいずれか一方には、本体部と、当該本体部に固定される位置を変更可能とされて他方の電気機器の絶縁電線を掛止可能な掛止部とが設けられ、上記被載置用および載置用の電気機器は、同他方の電気機器の絶縁電線が同掛止部に掛止されて互いに固定される構成としてある。
【００２４】
載置用の電気機器が被載置用の電気機器に載置されたとき、両電気機器のいずれかから延出した絶縁電線が掛止部に掛止されると、両電気機器は互いに固定される。電気機器に設けられた絶縁電線を利用することにより、別途ベルト等の部材を用意する必要がない。ここで、本体部に固定される掛止部は、固定される位置を変更することが可能である。すると、絶縁電線の取り付け位置が異なる種々の電気機器に対して、引っ掛けやすい位置で絶縁電線を掛止することができる。すなわち、便利であるとともに、別途ベルト等の部材を用意する必要なく、絶縁電線の取り付け位置が異なる種々の電気機器と他方の電気機器とを容易かつ確実に固定することができる。
なお、両電気機器を互いに固定する態様には、少なくとも、載置用の電気機器を被載置用の電気機器に固定する場合と、載置用の電気機器に被載置用の電気機器を固定する場合とが含まれる。
【００２５】
なお、電気機器を被載置体に固定する手順にも発明が存在する。そこで、請求項１２にかかる発明は、延出した絶縁電線を有する電気機器が被載置体に載置されたときに同電気機器を同被載置体に固定する電気機器固定方法であって、上記被載置体に、本体部と、当該本体部に固定される位置を変更可能とされて上記絶縁電線を掛止可能な掛止部とを設け、上記絶縁電線を上記掛止部に掛止させることにより、上記電気機器を上記被載置体に固定する構成としてある。
【００２６】
また、請求項１３にかかる発明は、延出した絶縁電線を有する被載置用の電気機器と、別の延出した絶縁電線を有して同被載置用の電気機器に載置された載置用の電気機器と、を互いに固定する電気機器固定方法であって、上記被載置用および載置用の電気機器のいずれか一方に、本体部と、当該本体部に固定される位置を変更可能とされて他方の電気機器の絶縁電線を掛止可能な掛止部とを設け、同他方の電気機器の絶縁電線を同掛止部に掛止させることにより、上記被載置用および載置用の電気機器を互いに固定する構成としてある。
すなわち、本発明は電気機器固定方法としても適用可能であり、請求項１、請求項３〜請求項１０に記載された構成を当該方法に対応させることも可能である。
【発明の効果】
【００２７】
以上説明したように、請求項１にかかる発明によれば、便利であるとともに、別途ベルト等の部材を用意する必要なく、被載置用の電気機器に対して、絶縁電線の取り付け位置が異なる種々のテレビジョンを容易かつ確実に固定することが可能となる。その結果、地震等の際に電気機器が転倒することを防ぐことが可能となる。
請求項２、請求項１２にかかる発明によれば、便利であるとともに、別途ベルト等の部材を用意する必要なく、被載置体に対して、絶縁電線の取り付け位置が異なる種々の電気機器を容易かつ確実に固定することが可能となる。その結果、地震等の際に電気機器が転倒することを防ぐことが可能となる。
請求項３にかかる発明によれば、別途ベルト等の部材を用意する必要なく、容易に被載置用の電気機器に載置した電気機器を同被載置用の電気機器に固定することが可能となる。
【００２８】
請求項４にかかる発明によれば、絶縁電線が掛止部から外れにくくなるので、より確実に電気機器を固定することが可能となる。
請求項５にかかる発明によれば、簡易な構成で、絶縁電線の取り付け位置が異なる種々の電気機器を被載置体に対して容易かつ確実に固定することが可能となる。
請求項６にかかる発明によれば、簡単な操作で掛止部を本体部に対して着脱可能にさせる簡易な構造を提供することが可能となる。
【００２９】
請求項７にかかる発明によれば、簡易な構造で掛止部を本体部に対して着脱可能にさせることが可能となる。
請求項８にかかる発明によれば、絶縁電線の取り付け位置が異なる種々の電気機器に対して、さらに引っ掛けやすい位置で絶縁電線を掛止することができるので、利便性を向上させるとともに、さらに確実に種々の電気機器を被載置用の電気機器に固定することが可能となる。
請求項９にかかる発明によれば、簡単な操作で掛止部を固定用溝に沿った位置に固定させる簡易な構造を提供することが可能となる。
【００３０】
請求項１０にかかる発明によれば、簡易な構造で掛止部を固定用溝に沿った位置に固定させることが可能となる。
請求項１１、請求項１３にかかる発明によれば、便利であるとともに、別途ベルト等の部材を用意する必要なく、絶縁電線の取り付け位置が異なる種々の電気機器と他方の電気機器を互いに容易かつ確実に固定することが可能となる。その結果、地震等の際に電気機器が転倒することを防ぐことが可能となる。
【発明を実施するための最良の形態】
【００３１】
以下、下記の順序に従って本発明の実施形態を説明する。
（１）テレビジョン固定構造の説明：
（２）テレビジョン固定構造の作用：
（３）変形例：
（４）まとめ：
【００３２】
（１）テレビジョン固定構造の説明：
図１は、本発明の一実施形態にかかるテレビジョン固定構造（電気機器固定構造）を有するＤＶＤ視聴システム１００を、背面と右側面と上面を臨む斜視図により示している。本システム１００は、載置用の電気機器であるテレビジョン（以下、ＴＶとも記載）１０と、被載置用の電気機器であるＤＶＤプレーヤ（被載置体）２０とから構成されている。なお、図の左上方向を前方向（正面側）、右下方向を後方向（背面側）、上方向を上方向、下方向を下方向として、説明する。
【００３３】
ＴＶ１０は、１９インチ以下の小型のテレビジョンであり、樹脂製のキャビネット１１の内部に図示しないブラウン管やその他の内部機器や基板等が収容されている。そして、基板に実装された制御回路の制御により、放送電波を受信したりＤＶＤプレーヤ２０から所定のフォーマットの信号を入力したりして、対応する映像と音声を出力する。ブラウン管の表示面を前側に配置していることから、ＴＶ１０の重心は前側に偏っている。従って、地震等の振動が加えられると、ＴＶ１０は前側に転倒しやすくなっている。
本ＴＶ１０は、キャビネット１１の背面１１ａから後方（実際には略後方）に延出した電源コード（絶縁電線）１２を有している。電源コード１２の基部１２ａは、樹脂製とされており、キャビネットの背面１１ａに取り付けられて固定されている。なお、電源コードの基部１２ａは、所定の引っ張り試験に耐えることができる強度（例えば、電源コード１２でＴＶ１０の本体を吊り下げることができる強度）とされている。
【００３４】
図２は、電源コード１２の断面を示している。本電源コード１２は、ＪＩＳ Ｃ３００５に規定する平形電線であり、２本の導線１２ｃ，１２ｃの周囲をそれぞれ絶縁体１２ｄ，１２ｄで被覆し、さらに絶縁体１２ｄ，１２ｄをシース１２ｅで覆った電機機器用ビニル絶縁電線である。電源コード１２の断面は、非円形（図の例では、二つの円を一部重ねて合わせた形状）とされており、図の左右方向が電源コードの断面において最も長くなる最長方向であり、図の上下方向が電源コードの断面において最も短くなる最短方向である。なお、最長方向の断面の長さをＬｍａｘ、最短方向の断面の長さをＬｍｉｎと表すことにする。そして、電源プラグ１２ｂが図示しない１００Ｖの家庭用のコンセントに差し込まれると、導線１２ｃ，１２ｃを介してＴＶ１０に電力が供給される。
【００３５】
ＤＶＤプレーヤ２０は、金属製のキャビネット（本体部）２１の内部に図示しないＤＶＤ駆動機構やその他の内部機器や基板等が収容されており、基板に実装された制御回路の制御により、ＤＶＤから記録信号を読み出して所定のフォーマットの映像信号や音声信号をＴＶ１０に対して出力する。ここで、ＤＶＤプレーヤ２０とＴＶ１０とは、図示しないＡＶケーブルで接続されており、ＤＶＤプレーヤ２０から出力される映像信号や音声信号は、同ＡＶケーブルを介してＴＶ１０に入力される。
【００３６】
図３は、着脱可能な掛止部（フック）２３をキャビネット２１に取り付けて電源コード１２を巻いた状態で、図１のＡ１の位置から臨んだときにＤＶＤ視聴システム１００を電源コードの基部１２ａの手前で断面視した垂直断面図である。また、図４は、電源コード１２を掛止部２３に巻いていない状態で図３の掛止部２３付近を拡大して示した垂直断面図である。なお、わかりやすく説明するため、背景に見える部材の一部を省略している。
図に示すように、ＤＶＤプレーヤのキャビネット２１の上面は、ＴＶ１０を載置する所定の載置面２１ｃとされている。ＴＶ１０の底面１１ｂには、同底面１１ｂから下方（略下方）に突出した四つのゴム製の足１３（図３では、一つのみ図示）が取り付けられており、ＤＶＤプレーヤの載置面２１ｃの上に四つの足１３が載せられるようになっている。
【００３７】
ＤＶＤプレーヤのキャビネット２１には、底面２１ｂと背面（側面の一つ）２１ａとで作られる稜の部分を切り欠いた形状の切欠部（本体部の一部）２２が形成されている。なお、図の下段に模式的に示したように、稜とは、二つの平面（厳密な平面のみならず、平面に近い面を含む）が交わってできる線をいう。切欠部２２は、キャビネット２１の底面２１ｂと平行（略平行）な水平面２２ａと、キャビネット２１の背面２１ａと平行（略平行）な垂直面２２ｂとを有している。
【００３８】
切欠部２２には、水平面２２ａに対して樹脂製の掛止部２３が着脱可能に取り付けられて固定されるようになっている。掛止部２３は、切欠部に固定された状態で、水平面２２ａから下方（略下方）に延出して電源コード１２を掛止することが可能である。ＤＶＤプレーヤ２０に載置されたＴＶ１０は、電源コード１２が掛止部２３に巻かれて掛止されることにより、同ＤＶＤプレーヤ２０に固定され、地震等の振動が加えられた際に転倒することが防止されるようになっている。
【００３９】
図５は、ＤＶＤプレーヤ２０の要部を底面から見て示した底面図である。切欠部の水平面２２ａには、掛止部２３を固定可能な複数の箇所のそれぞれに対応して、左右方向に一列に並んだ複数の固定用穴２２ｃが設けられている。図の固定用穴２２ｃは四つ形成されており、各固定用穴２２ｃは左右方向に長辺を向けた長方形状とされている。
一方、図６の斜視図にも示すように、掛止部２３は、複数の固定用穴２２ｃのいずれにも挿入可能な穴挿入部２４を備えている。なお、図は、掛止部２３が切欠部に固定された状態を基準として描いている。穴挿入部２４は、掛止部２３が切欠部に固定された状態で前後方向に向けて設けられた固定用爪部２４ａと、掛止部２３の中心部分２３ｃの上部と同固定用爪部２４ａの下部とを繋ぐ円柱状の接続部２４ｂとから構成されている。固定用爪部２４ａの上面２４ｃは、固定用穴２２ｃよりも若干小さい長方形状の平面としてあり、下側から固定用穴２２ｃに挿入して上側にまで貫通させることが可能である。接続部２４ｂの直径は、固定用穴２２ｃの短辺よりも若干長くしてある。なお、掛止部の中心部分２３ｃは円柱状とされており、同中心部分２３ｃの直径は固定用穴２２ｃの短辺より長いため、中心部分２３ｃの上面２３ｃ１は固定用穴２２ｃを通り抜けることができない。そして、同上面２３ｃ１が切欠部の水平面２２ａに当接する位置では、固定用爪部の下面２４ｄの一部が水平面の上側２２ａ１より若干下側となるようにしてある。
【００４０】
図７は、固定用穴２２ｃの一つを斜め上方から見て示した斜視図である。図に示すように、固定用穴２２ｃは、水平面２２ａの下側から上側２２ａ１まで貫通している。水平面の上側２２ａ１には、固定用穴２２ｃの長辺方向（左右方向）の中間部分であって同固定用穴２２ｃの前後となる位置に、緩やかに窪んだ形状の一対の凹部２２ｄ，２２ｄが形成されている。各凹部２２ｄの境界は、長径を前後方向に向けた半楕円形状とされている。
一方、図６の下段に示す右側面図のように、穴挿入部の固定用爪部２４ａは、前後方向を基準として中間部分から前方向と後方向となるほど上下の厚みが少しずつ小さくなるテーパ状とされている。また、図６の下段に示す背面図のように、固定用爪部２４ａの下面２４ｄは、左右方向を基準として中間部分が下側に緩やかに膨らんだ凸形状とされている。そして、穴挿入部２４が下側から固定用穴２２ｃに挿入され、撓みながら９０°（度）回転されると、固定用爪部の下面２４ｄが凹部２２ｄ，２２ｄにはまり込む。すると、掛止部２３は、固定用穴２２ｃが設けられた複数の箇所のいずれかで切欠部に取り付けられて固定される。また、固定された掛止部２３を９０°回転させると、穴挿入部２４を固定用穴２２ｃから下側へ引き抜くことができる。その結果、掛止部２３は、固定用穴２２ｃの位置に対応する複数の箇所で切欠部に対して着脱可能とされ、切欠部に固定される位置を変更可能とされる。
【００４１】
掛止部２３には、切欠部に固定された状態を基準として、下端部２３ｄから同掛止部の延出方向とは異なる方向に延出して電源コード１２の脱落を防ぐ一対の延出部２３ａ，２３ａが形成されている。本実施形態では、水平（略水平）方向であって前方向に延出した延出部２３ａと、水平（略水平）方向であって後方向に延出した延出部２３ａとを形成している。すなわち、延出部２３ａ，２３ａは、下端部２３ｄから水平（略水平）方向であって互いに反対（略反対）方向に延出している。これにより、掛止部２３に掛止された電源コード１２は、下方に移動すると、掛止部の延出方向とは異なる方向に延出した延出部２３ａ，２３ａに当たってそれ以上移動することができなくなる。すなわち、延出部２３ａ，２３ａは、掛止した電源コード１２の脱落を防ぐようになっている。従って、掛止部から電源コードが外れにくくなり、確実にＴＶをＤＶＤプレーヤに固定することが可能となる。
【００４２】
また、延出部２３ａ，２３ａのそれぞれには、先端部２３ｅから上方（略上方）に突出した突起２３ｂ，２３ｂが形成されている。すなわち、掛止部２３に掛止された電源コード１２は、延出部の先端部側に移動すると、上方に突出した突起２３ｂ，２３ｂに当たってそれ以上移動することができなくなる。すなわち、突起２３ｂ，２３ｂも、掛止した電源コード１２の脱落を防ぐようになっている。従って、掛止部から電源コードが外れにくくなり、確実にＴＶをＤＶＤプレーヤに固定することが可能となる。
【００４３】
ところで、鉛直（略鉛直）方向における突起２３ｂの上端部２３ｂ１と切欠部の水平面２２ａとの間隔Ｌ１は、電源コード１２の断面において最も長くなる最長方向の長さＬｍａｘより短く、かつ、同電源コード１２の断面において最も短くなる最短方向の長さＬｍｉｎより長くされている。従って、ＴＶ１０がＤＶＤプレーヤ２０に載置されたとき、電源コード１２の最短方向を鉛直方向に向けると、電源コード１２を突起２３ｂと切欠部の水平面２２ａの間から延出部２３ａと切欠部の水平面２２ａの間へ挿入することができる。
なお、掛止部２３は、樹脂製であるため、若干撓むようになっており、撓み動作を経て電源コード１２を延出部２３ａと水平面２２ａの間へ挿入することも可能である。
【００４４】
また、鉛直（略鉛直）方向における突起２３ｂの下端部２３ｂ２と切欠部の水平面２２ａとの間隔Ｌ２は、電源コード１２の断面における最長方向の長さＬｍａｘより長くされている。従って、電源コード１２を延出部２３ａと切欠部の水平面２２ａの間へ挿入した後に電源コード１２の最長方向を鉛直方向に向けると、電源コード１２は突起２３ｂと切欠部の水平面２２ａの間を通り抜けることができない。すなわち、電源コード１２は掛止部から外れにくくなっている。
そこで、図８に示すように、掛止部２３に対して順次、断面の向きを変えながら電源コード１２を延出部２３ａと水平面２２ａの間に挿入して掛止部２３に対して引っ掛けるように巻いていくと、電源コード１２を掛止部２３に巻いて掛止させることができる。
このように、ＴＶ１０は、電源コード１２が突起２３ｂと切欠部２２の間から延出部２３ａと切欠部２２の間に挿入されて掛止部２３に巻かれて掛止されることにより、ＤＶＤプレーヤ２０に固定される。
【００４５】
掛止部２３に電源コード１２を巻く回数は、突起２３ｂと切欠部の水平面２２ａの間へ挿入することができる回数であれば制限はない。従って、電源コード１２を１回だけ掛止部に巻いて掛止させるようにしてもよいし、延出部２３ａと水平面２２ａにまで挿入することができなくなって突起２３ｂと水平面２２ａの間でとどまる状態まで巻いて掛止させるようにしてもよい。
【００４６】
（２）テレビジョン固定構造の作用：
最初に、掛止部２３をＤＶＤプレーヤの本体部２１に固定する作用を説明する。
まず、固定用穴２２ｃのいずれかの長辺方向に穴挿入部の上面２４ｃの長辺方向を合わせ、穴挿入部２４を下側から固定用穴２２ｃに挿入する。すなわち、図６で示した延出部２３ａ，２３ａを左右方向に向けることにより、固定用爪部２４ａを左右方向に向け、図７で示した固定用穴２２ｃに挿入する。すると、図９に示すように、穴挿入部２４は固定用穴２２ｃを貫通する。このとき、図の下段の正面図に示すように、固定用爪部の下面２４ｄはごく僅かに水平面の上側２２ａ１より下側とされる。
【００４７】
その後、延出部２３ａ，２３ａを９０°右または左に回転させて前後方向に向けると、水平面の上側２２ａ１における凹部２２ｄ，２２ｄの外側の部位２２ｅに固定用爪部の下面２４ｄが接触しながら固定用爪部２４ａは撓み動作を経て同部位２２ｅを乗り越えて９０°回転する。すると、図１０に示すように、固定用爪部の下面２４ｄが凹部２２ｄ，２２ｄにはまり込み、固定用爪部２４ａは前後方向を向く。なお、固定用穴２２ｃの中では、接続部２４ｂが９０°回転するようになっている。
このようにして、掛止部２３は、穴挿入部２４が固定用穴２２ｃに挿入されて回転されることにより、複数の固定用穴２２ｃに対応する複数の箇所のいずれかに固定される。従って、ＤＶＤプレーヤの複数の固定用穴のいずれかに掛止部の穴挿入部を挿入して回転させるという簡単な操作を行うだけで、掛止部を同固定用穴のいずれかに取り付けて固定することができる。
【００４８】
なお、固定する位置を変更するために掛止部２３を切欠部２２から取り外すとき、固定された掛止部の延出部２３ａ，２３ａを９０°右または左に回転させて左右方向に向けると、凹部２２ｄ，２２ｄの外側の部位２２ｅに固定用爪部の下面２４ｄが接触しながら固定用爪部２４ａは撓み動作を経て同部位２２ｅを乗り越えて９０°回転する。すると、図９に示すように、穴挿入部の上面２４ｃの長辺方向が固定用穴２２ｃの長辺方向に向けられるので、穴挿入部２４を固定用穴２２ｃから下側へ引き抜くことができる。その後は、所望の位置の固定用穴２２ｃに穴挿入部２４を挿入して回転させることにより、掛止部２３を固定することができる。
このようにして、掛止部２３は、切欠部２２に対して着脱可能とされて固定される位置を変更することが可能とされている。
【００４９】
例えば、図１１の左側に示すように、背面から見て左側に電源コードの基部があるＴＶをＤＶＤプレーヤに載せたときには、切欠部に対して固定する位置を変更可能な掛止部を左側にて固定することにより、ＴＶの電源コードを適切な位置にて掛止部に掛止させてＤＶＤプレーヤにＴＶを固定することができる。一方、図の右側に示すように、背面から見て右側に電源コードの基部がある別のＴＶを同じＤＶＤプレーヤに載せたときには、同掛止部を右側にて固定することにより、そのＴＶの電源コードも適切な位置にて掛止部に掛止させてＤＶＤプレーヤにＴＶを固定することができる。
このように、掛止部は固定される位置を変更することが可能であるので、電源コードの取り付け位置が異なる種々のＴＶに対して、引っ掛けやすい位置で電源コードを掛止することができ、便利である。
【００５０】
次に、固定された掛止部に電源コードを掛止させてＴＶを固定する作用を説明する。
上述したように、ＤＶＤプレーヤ２０の載置面２１ｃの上にＴＶ１０を置き、電源コード１２を掛止部２３に巻くと、電源コード１２は同掛止部２３に掛止されるので、ＴＶ１０がＤＶＤプレーヤ２０に固定される。すなわち、ＴＶに設けられた電源コードを利用することにより、別途ベルト、バンド、バックル、鉤状片等の部材を用意する必要なく、容易にＴＶをＤＶＤプレーヤに固定することができる。
【００５１】
ここで、ＤＶＤ視聴システム１００に対して、地震等の振動が加えられたとする。ＴＶ１０の重心は前側に偏っているので、ＴＶ１０にはＤＶＤプレーヤ２０の上面において前側に転倒する力が加えられる。すると、図３に示すように、ＴＶ１０とＤＶＤプレーヤ２０との間にある電源コード１２には、上向きの引っ張り力Ｆ１が加えられる。ここで、電源コード１２はＤＶＤプレーヤの掛止部２３に掛止されているので、上向きの力Ｆ１が加えられても電源コード１２は上方へは移動しない。その結果、ＴＶ１０は前側に転倒せず、ＤＶＤプレーヤ２０の上面において同ＤＶＤプレーヤ２０に固定されたままとなる。
また、ＴＶ１０に対して水平方向の力が加えられても、ＴＶの電源コード１２がＤＶＤプレーヤの掛止部２３に適切な位置で掛止されているので、横滑りもほとんど生じない。この点でも、ＴＶ１０はＤＶＤプレーヤ２０上から下方へ転倒しなくなる。
なお、電源コード１２は、電源コード１２でＴＶ１０の本体を吊り下げる等の所定の引っ張り試験に耐えることができるように基部１２ａが樹脂製とされてキャビネットの背面１１ａに取り付けられて固定されている。従って、ＴＶ１０に地震等の振動が加えられても、電源コード１２はＴＶ１０の本体から容易には引きちぎられたり、切断されたりすることはない。
【００５２】
このように、ＴＶに設けられた電源コードを利用することにより、別途ベルト、バンド、バックル、鉤状片等の部材を用意する必要がない。また、被載置用の電気機器の切欠部に固定される掛止部は固定される位置を変更することが可能であるので、電源コードの取り付け位置が異なる種々のＴＶに対して引っ掛けやすい位置で電源コードを掛止することができる。従って、便利であるとともに、別途ベルト等の部材を用意する必要なく、被載置用の電気機器に対して、電源コードの取り付け位置が異なる種々のＴＶを容易かつ確実に固定することができる。その結果、地震等の際にＴＶが転倒することを防ぐことができる。
また、掛止部２３は、載置したＴＶ１０がある方向とは反対の下方（略下方）に延出しているので、電源コード１２が掛止部２３から外れにくくなっており、確実にＴＶを被載置用の電気機器に固定することが可能である。
【００５３】
（３）変形例：
ところで、本発明のテレビジョン固定構造は、様々な変形例が考えられる。
ＴＶが載置される被載置体は、ＤＶＤプレーヤ以外にも、ビデオデッキ等、様々なものが考えられる。むろん、電気機器以外でも、テレビジョン台のように、ＴＶを置くことが可能な台であってもよい。一方、被載置体に載置する電気機器としては、ＴＶ以外にも、ＤＶＤプレーヤ、ビデオデッキ、等、様々なものが考えられる。これらの電気機器を用いて電気機器固定構造を構成しても、載置用の電気機器に設けられた電源コードを利用することにより、別途ベルト等の部材を用意する必要なく、容易に載置用の電気機器を被載置用の電気機器に固定することが可能である。
また、ＤＶＤプレーヤもキャビネットから延出した電源コードを有しているので、ＤＶＤプレーヤの電源コードを利用してＴＶとＤＶＤプレーヤとを固定するようにしてもよい。
【００５４】
図１２は、変形例にかかるテレビジョン固定構造を有するＤＶＤ視聴システムを断面視した垂直断面図である。なお、図３と構成が同様のものについては、同じ符号を付して説明を省略する。
図に示すように、ＤＶＤプレーヤ２０は、キャビネット２１の背面２１ａから後方（略後方）に延出した電源コード（絶縁電線）２５を有している。電源コード２５の基部２５ａは、樹脂製とされており、キャビネットの背面２１ａに取り付けられて固定されている。
【００５５】
一方、ＴＶ（載置用の電気機器）１０のキャビネットの背面１１ａには、前方（略前方）に向かって切り欠かれた形状の切欠部１４が形成されている。切欠部１４は、キャビネット１１の底面１１ｂと平行（略平行）な水平面１４ａ，ｃと、キャビネット１１の背面１１ａと平行（略平行）な垂直面１４ｂとを有している。ここで、両水平面１４ａ，ｃは相対向しており、水平面１４ａが下側とされ、水平面１４ｃが上側とされている。
切欠部１４には、水平面１４ａから上方（略上方）に延出して電源コード２５を掛止することが可能とされた樹脂製の掛止部１５が設けられている。掛止部１５は、上記掛止部２３と同様の形状とされている。
【００５６】
掛止部１５に対して順次、断面の向きを変えながら電源コード２５を掛止部１５に対して引っ掛けるように巻いていくと、ＤＶＤプレーヤの電源コード２５を掛止部１５に巻いて掛止させることができる。本例では、ＤＶＤプレーヤの電源コード２５が掛止部１５に巻かれて掛止されることにより、ＴＶ１０とＤＶＤプレーヤ２０が互いに固定される。
すなわち、被載置用の電気機器に設けられた電源コードを利用することによっても、便利であるとともに、別途ベルト等の部材を用意する必要なく、電源コードの取り付け位置が異なる種々の被載置用の電気機器とＴＶとを互いに容易かつ確実に固定することができる。その結果、地震等の際にＴＶが転倒することを防ぐことが可能となる。特に、ＴＶの電源コードを被載置用の電気機器に掛止し難い場合に、本構造を採用することによって、確実に電源コードを掛止して両電気機器を互いに固定することが可能となるという有用な効果が得られる。
【００５７】
むろん、ＴＶの電源コードをＤＶＤプレーヤに掛止するのと同時に、ＤＶＤプレーヤの電源コードをＴＶに掛止することにより、ＴＶとＤＶＤプレーヤとを互いに固定してもよい。すると、さらに確実に両電気機器を互いに固定することができ、地震等の際に電気機器が転倒することを防ぐことが可能となる。
なお、電源コードの代わりに、アース線、アンテナ線、信号ケーブル、等、様々な絶縁電線を用いてもよい。
【００５８】
また、掛止部を回転させずに切欠部に対して固定するようにしてもよい。
図１３は別の変形例にかかるテレビジョン固定構造を有するＤＶＤ視聴システムに用いられるＤＶＤプレーヤの要部を底面から見て示しており、図１４は切欠部に固定された状態を基準としたときの同ＤＶＤプレーヤの掛止部の外観を示している。なお、図５と構成が同じものについては、同じ符号を付して説明を省略する。
図に示すように、ＤＶＤプレーヤの切欠部の水平面２２ａには、掛止部３３を固定可能な複数の箇所のそれぞれに対応して複数の固定用穴３２ｃが設けられている。一方、掛止部３３は、樹脂製とされ、固定用穴３２ｃのいずれにも挿入することが可能な穴挿入部３４を備えている。本例では、掛止部３３の中心部分３３ｃの上側に平板形状の接続部３３ｃ１が設けられ、この接続部３３ｃ１の上面に四つの穴挿入部３４が形成されている。各穴挿入部３４は基部３４ａから上方に延出し、上端部３４ｂからは水平方向（前から見て左方向）に延出した延出部３４ｃとされ、同延出部３４ｃの先端部３４ｄからは下方に膨らんだ突起３４ｅとされている。突起３４ｅは前から見て上下方向に縮められた半円形状とされており、穴に挿入された突起３４ｅに対して左右方向にある程度以上の力を加えると、突起３４ｅは穴から抜けるようになっている。
ここで、上下方向における突起３４ｅと接続部３３ｃ１との間隔Ｌ３は、切欠部の水平面２２ａの厚みより若干小さくされ、上下方向における延出部３４ｃと接続部３３ｃ１との間隔Ｌ４は、切欠部の水平面２２ａの厚みより若干大きくされている。
【００５９】
図１５は、固定用穴３２ｃの一つを斜め上方から見て示した斜視図である。図に示すように、固定用穴３２ｃは、穴挿入部３４に位置に合わせて設けられた四箇所の長穴３２ｄと、同長穴３２ｄから穴挿入部の延出部３４ｃの長さだけ水平方向（前から見て左方向）ずれた位置に設けられた四箇所の短穴３２ｅとから構成されている。
以上の構成にて、四つの穴挿入部３４を下側から四つの長穴３２ｄに挿入すると、穴挿入部の延出部３４ｃが固定用穴３２ｃを貫通する。このとき、延出部３４ｃ下面はごく僅かに水平面の上側２２ａ１より上側とされ、突起３４ｅの下端部はごく僅かに水平面の上側２２ａ１より下側とされる。
その後、穴挿入部３４が挿入された方向（上方向）とは異なる水平方向（左方向）に力を加えて掛止部３３をスライドさせると、水平面の上側２２ａ１における長穴３２ｄと短穴３２ｅとの間の部位３２ｆに突起３４ｅの下端部が接触しながら穴挿入部３４は撓み動作を経て同部位３２ｆを乗り越える。すると、突起３４ｅの下端部が短穴３２ｅに挿入され、掛止部３３は切欠部の水平面２２ａに固定される。
【００６０】
このようにして、掛止部３３は、穴挿入部３４が固定用穴３２ｃに挿入されて挿入された方向とは異なる方向にスライドされることにより、複数の固定用穴３２ｃに対応する複数の箇所のいずれかに固定される。従って、従って、ＤＶＤプレーヤの複数の固定用穴のいずれかに掛止部の穴挿入部を挿入してスライドさせるという簡単な操作を行うだけで、掛止部を同固定用穴のいずれかに取り付けて固定することができる。
なお、掛止部３３を切欠部から取り外すとき、右方向に力を加えて掛止部３３をスライドさせると、上記部位３２ｆに突起３４ｅの下端部が接触しながら穴挿入部３４は撓み動作を経て同部位３２ｆを乗り越える。すると、穴挿入部３４を固定用穴３２ｃから下側へ引き抜くことができる。このようにして、掛止部３３は、切欠部に対して着脱可能とされて固定される位置を変更可能である。
【００６１】
なお、図１６に示す樹脂製の掛止部３５のように、穴挿入部３８が設けられているとともに、接続部３５ｃ１から下方に延出して電源コードを掛止可能な一対の副掛止部３６，３７が設けられていてもよい。ここで、同一対の副掛止部３６，３７のそれぞれには、下端部から略水平方向であって互いに略反対方向に延出して掛止した電源コードの脱落を防ぐ延出部３６ａ，３７ａが形成され、さらに、延出部３６ａ，３７ａには、先端部から略上方に突出した突起３６ｂ，３７ｂが形成されている。掛止部３５は樹脂製であるため、電源コードを強く巻くと副掛止部３６，３７どうしの隙間が若干少なくなり、副掛止部３６，３７には元の間隔まで拡がろうとする力が生じる。従って、巻いた電源コードが緩みにくくなっており、この点でさらに電源コードが掛止部から外れにくくなる。
【００６２】
さらに、掛止部を着脱可能とせずに切欠部に対して固定するようにしてもよい。
図１７は別の変形例にかかるテレビジョン固定構造を有するＤＶＤ視聴システムに用いられるＤＶＤプレーヤの要部を底面から見て示しており、図１８は切欠部に固定された状態を基準としたときの同ＤＶＤプレーヤの掛止部の外観を示している。なお、図５と構成が同じものについては、同じ符号を付して説明を省略する。
切欠部の水平面２２ａには、左右方向に向けられたレール部材４２ｃが取り付けられている。このレール部材４２ｃには、下向きに開口した固定用溝４２ｄが形成されている。同固定用溝４２ｄは、掛止部４３の移動可能な範囲に対応して、左右方向に直線状とされている。
【００６３】
掛止部４３は、固定用溝４２ｄに挿入された溝挿入部４４を備えている。溝挿入部４４は、掛止部４３が切欠部に固定された状態で前後方向に向けて設けられた固定用爪部４４ａと、掛止部４３の中心部分４３ｃの上部と同固定用爪部４４ａの下部とを繋ぐ円柱状の接続部４４ｂとから構成されている。固定用爪部４４ａは上記固定用爪部２４ａよりも左右方向に太くされており、固定用爪部４４ａの上面４４ｃは固定用溝４２ｄの幅よりも広い長方形状の平面としてある。接続部４４ｂの直径は、固定用溝４２ｄの幅よりも若干短くしてある。円柱状とされた中心部分４３ｃの直径は固定用溝４２ｄの幅より長い。従って、掛止部４３は、固定用溝４２ｄから抜けないようになっており、溝挿入部４４が挿入された方向（上下方向）と同じ（略同じ）方向を回転軸として回転可能とされている。そして、上面４４ｃの長辺を固定用溝４２ｄの向きに合わせた状態で同固定用溝４２ｄに沿って切欠部の表面を移動可能とされている。
【００６４】
図１９は、固定用溝４２ｄの一つをレール部材４２ｃの内部において斜め上方から見て示した斜視図である。同図では、レール部材４２ｃの側面一部を切断して示している。図に示すように、レール部材４２ｃの下面の上側４２ｃ１には、固定用溝４２ｄの前後となる位置に、緩やかに窪んだ形状の多数の前側凹部４２ｅ１と後側凹部４２ｅ２とが形成されている。各凹部４２ｅ１，４２ｅ２の境界は、長径を前後方向に向けた半楕円形状とされている。なお、掛止部の中心部分４３ｃの上面４３ｃ１がレール部材４２ｃの下面に当接する位置では、固定用爪部の下面４４ｄの一部がレール部材の下面の上側４２ｃ１より若干下側となるようにしてある。
一方、溝挿入部の固定用爪部４４ａは、前後方向を基準として中間部分から前方向と後方向となるほど上下の厚みが少しずつ小さくなるテーパ状とされ、下面４４ｄが左右方向を基準として中間部分が下側に緩やかに膨らんだ凸形状とされている。
【００６５】
掛止部の延出部４３ａ，４３ａを９０°右または左に回転させて前後方向に向けると、凹部４２ｅ１，４２ｅ２の外側の部位４２ｆに固定用爪部の下面４４ｄが接触しながら固定用爪部２４ａは撓み動作を経て同部位４２ｆを乗り越えて９０°回転する。すると、固定用爪部の下面４４ｄが凹部４２ｅ１，４２ｅ２のいずれかにはまり込み、固定用爪部４４ａは前後方向を向く。なお、固定用溝４２ｄの間では、接続部４４ｂが９０°回転するようになっている。
このようにして、掛止部４３は、移動可能な範囲の中からいずれかの位置で溝挿入部４４が所定の固定位置に回転されると固定される。
【００６６】
なお、固定された掛止部の延出部４３ａ，４３ａを９０°右または左に回転させて左右方向に向けると、凹部４２ｅ１，４２ｅ２の外側の部位４２ｆに固定用爪部の下面４４ｄが接触しながら固定用爪部４４ａは撓み動作を経て同部位４２ｆを乗り越えて９０°回転する。すると、溝挿入部の上面４４ｃの長辺方向が固定用溝４２ｄの向きとされるので、掛止部４３を固定用溝４２ｄに沿って移動させることができる。
このようにして、掛止部２３は、溝挿入部４４が所定の移動位置に回転されると固定用溝４２ｄに沿って移動可能とされる。
以上の構成により、ＤＶＤプレーヤの固定用溝に沿った所望の位置で掛止部の溝挿入部を回転させるという簡単な操作を行うだけで、掛止部を移動可能な範囲の中からいずれかの位置で固定することができる。すなわち、掛止部を固定する位置の自由度を向上させることが可能となるので、電源コードの取り付け位置が異なる種々のＴＶに対して、さらに引っ掛けやすい位置で電源コードを掛止することが可能となる。従って、利便性を向上させるとともに、さらに確実に種々のＴＶを被載置用の電気機器に固定することが可能となる。
【００６７】
また、掛止部を回転させずに切欠部に対して固定するようにしてもよい。
図２０は別の変形例にかかるテレビジョン固定構造を有するＤＶＤ視聴システムに用いられる掛止部を右側面から見て示している。
ＤＶＤプレーヤの切欠部には、上記レール部材４２ｃと同様のレール部材５２ｃが設けられている。掛止部５３は、固定用溝５２ｄに沿ってスライド動可能に同固定用溝５２ｄに挿入された溝挿入部５４と、掛止部５３を固定用溝５２ｄに沿った位置で固定可能な固定用ねじ５５とを備えている。掛止部５３の中心部分５３ｃの上側に平板形状のねじ支持板５３ｄが設けられ、同ねじ支持板５３ｄの後部にねじ５５を螺合させるねじ穴が形成されている。溝挿入部５４は、円柱状の固定用円柱部５４ａと、ねじ支持板５３ｄの上部と同固定用円柱部５４ａの下部とを繋ぐ円柱状の接続部５４ｂとから構成されている。固定用円柱部５４ａの直径は固定用溝５２ｄの幅よりも長くしてある。接続部５４ｂの直径は、固定用溝５２ｄの幅よりも若干短くしてある。円柱状とされた中心部分５３ｃの直径は、固定用溝５２ｄの幅より長い。従って、掛止部５３は、固定用溝５２ｄに沿って切欠部の表面を移動可能とされている。
【００６８】
固定用ねじ５５は、ねじ支持板５３ｄのねじ穴に対して下側から上側に向かって螺合されている。そして、締める方向にねじ５５を回転（例えば右回り）させると同ねじ５５の上端は上昇し、緩める方向にねじ５５を回転（例えば右回り）させると同ねじ５５の上端は下降する。そこで、固定用溝５２ｄに沿った所望の位置でねじ５５を締める方向に回転させると、同ねじ５５の上端がレール部材５２ｃの下面に当接する。すると、レール部材５２ｃにおける固定用溝５２ｄの近傍の部位が同ねじ５５と固定用円柱部５４ａとに挟まれ、掛止部５３はＤＶＤプレーヤの切欠部に固定される。一方、ねじ５５を緩める方向に回転させると、同ねじ５５の上端がレール部材５２ｃの下面から離れる。すると、掛止部５３は固定用溝５２ｄに沿って移動可能となる。
【００６９】
以上の構成により、ＤＶＤプレーヤの固定用溝に沿った所望の位置で掛止部の固定用ねじを回転させるという簡単な操作を行うだけで、掛止部を移動可能な範囲の中からいずれかの位置で固定することができる。すなわち、掛止部を固定する位置の自由度を向上させることが可能となるので、電源コードの取り付け位置が異なる種々のＴＶに対して、さらに引っ掛けやすい位置で電源コードを掛止することが可能となる。従って、利便性を向上させるとともに、さらに確実に種々のＴＶを被載置用の電気機器に固定することが可能となる。
【００７０】
なお、掛止部と固定用溝の組み合わせを複数設けてもよい、
また、図２１の背面図に示すように、固定用溝６２ｄを櫛状に形成してもよい。ここで、レール部材６２ｃはＤＶＤプレーヤの切欠部の垂直面２２ｂに設けられており、レール部材６２ｃに形成された固定用溝６２ｄに沿って移動可能な掛止部６３は後方に向かって延出した形状とされている。
固定用溝６２ｄは、水平方向に向けて形成された水平溝６２ｄ１と、同水平溝６２ｄ１の複数の箇所（図では四箇所）から下方に向けて形成された複数の垂直溝６２ｄ２（図では四本）とから構成されている。水平溝６２ｄ１は、掛止部６３をＤＶＤプレーヤに対して水平（略水平）方向に移動可能とさせる。すると、簡易な構成で、電源コードの取り付け位置が異なる種々のＴＶを被載置用の電気機器に対して容易かつ確実に固定することが可能となる。
【００７１】
一方、垂直溝６２ｄ２は、掛止部６３をＤＶＤプレーヤに対して上下（略上下）方向に移動可能とさせる。ここで、ＤＶＤプレーヤに載置したＴＶの電源コードを掛止した掛止部６３を下側に移動させると、同電源コードの張力を大きくさせることができる。逆に、電源コードを掛止した掛止部６３を上側に移動させると、同電源コードの張力を小さくさせることができる。このように、ＴＶの電源コードの張力を調節することができるので、地震等の際により確実に電気機器の転倒を防ぐことが可能となる。
また、固定用溝を櫛状としたことにより、掛止部を固定用溝に沿って動かすだけで、種々のＴＶに対して電源コードを掛止する位置を適切にし、かつ、同電源コードの張力も適切にすることが容易となる。従って、利便性を大幅に向上させ、電源コードの取り付け位置が異なる種々のＴＶをさらに容易かつ確実に固定することが可能となる。
【００７２】
上記の他、ＤＶＤプレーヤの載置面に、ＴＶの足を下方（略下方）に挿入することが可能なように下方（略下方）に窪んだ形状の凹部を形成してもよい。被載置用の電気機器に載置されるＴＶの足が被載置用の電気機器の凹部に挿入されるので、ＴＶは被載置用の電気機器上で動きにくくなる。従って、地震等、振動が加えられた際にＴＶが転倒することをより確実に防ぐことが可能となる。ここで、同凹部を、ＴＶの足の数よりも多く形成してもよい。すると、足の取り付け位置が異なる種々のＴＶに対して、挿入しやすい位置で足を凹部に挿入することができるので、利便性を向上させることができる。
【００７３】
（４）まとめ：
以上説明したように、本発明によると、種々の態様により、便利であるとともに、別途ベルト等の部材を用意する必要なく、被載置体に対して、絶縁電線の取り付け位置が異なる種々の電気機器を容易かつ確実に固定することが可能となり、地震等の際に電気機器が転倒することを防ぐことが可能となるテレビジョン固定構造および電気機器固定構造を提供することができる。また、本発明は、電気機器固定方法としても適用可能である。
【図面の簡単な説明】
【００７４】
【図１】本発明の一実施形態にかかるテレビジョン固定構造を有するＤＶＤ視聴システムを示す斜視図である。
【図２】電源コードの断面を示す断面図である。
【図３】図１のＡ１の位置から臨んだときのＤＶＤ視聴システムの垂直断面図である。
【図４】図３の掛止部２３付近を拡大して示す垂直断面図である。
【図５】ＤＶＤプレーヤの要部を底面から見て示す底面図である。
【図６】掛止部の外観を示す斜視図である。
【図７】固定用穴を斜め上方から見て示す斜視図である。
【図８】電源コードを掛止部に巻いて掛止させる様子を模式的に示す図である。
【図９】穴挿入部を固定用穴に貫通させた状態を示す斜視図である。
【図１０】図９の状態から掛止部を９０°回転させた状態を示す斜視図である。
【図１１】異なるＴＶを同じＤＶＤプレーヤに載置して電源コードを掛止した状態を示す背面図である。
【図１２】変形例にかかるテレビジョン固定構造を有するＤＶＤ視聴システムの垂直断面図である。
【図１３】別の変形例においてＤＶＤプレーヤの要部を底面から見て示す底面図である。
【図１４】掛止部の外観を示す斜視図である。
【図１５】固定用穴を斜め上方から見て示す斜視図である。
【図１６】別の変形例における掛止部の右側面図である。
【図１７】別の変形例においてＤＶＤプレーヤの要部を底面から見て示す底面図である。
【図１８】掛止部の外観を示す斜視図である。
【図１９】固定用溝を斜め上方から見て示す斜視図である。
【図２０】別の変形例における掛止部の右側面図である。
【図２１】別の変形例にかかるテレビジョン固定構造を形成可能なＤＶＤプレーヤを示す背面図である。
【符号の説明】
【００７５】
１０…テレビジョン
１１…キャビネット
１１ａ…背面
１１ｂ…底面
１２…電源コード（絶縁電線）
１２ａ…基部
１３…足
１４…切欠部
１４ａ，ｃ…水平面
１４ｂ…垂直面
１５…掛止部
２０…ＤＶＤプレーヤ（被載置体）
２１…キャビネット（本体部）
２１ａ…背面
２１ｂ…底面
２１ｃ…載置面
２２…切欠部（本体部の一部）
２２ａ…水平面
２２ｂ…垂直面
２２ｃ，３２ｃ…固定用穴
２２ｄ…凹部
２３，３３，３５，４３，５３，６３…掛止部
２３ａ，３６ａ，３７ａ，４３ａ…延出部
２３ｂ，３６ｂ，３７ｂ…突起
２３ｂ１…上端部
２３ｂ２…下端部
２３ｃ，３３ｃ，４３ｃ，５３ｃ…掛止部の中心部分
２３ｄ…下端部
２３ｅ…先端部
２４，３４，３８…穴挿入部
２４ａ…固定用爪部
２５…電源コード（絶縁電線）
２５ａ…基部
４２ｃ，５２ｃ，６２ｃ…レール部材
４２ｄ，５２ｄ，６２ｄ…固定用溝
４４，５４…溝挿入部
４４ａ…固定用爪部
５５…固定用ねじ
１００…ＤＶＤ視聴システム
【図１】
0003707557.tif 000002
【図２】
0003707557.tif 000003
【図３】
0003707557.tif 000004
【図４】
0003707557.tif 000005
【図５】
0003707557.tif 000006
【図６】
0003707557.tif 000007
【図７】
0003707557.tif 000008
【図８】
0003707557.tif 000009
【図９】
0003707557.tif 000010
【図１０】
0003707557.tif 000011
【図１１】
0003707557.tif 000012
【図１２】
0003707557.tif 000013
【図１３】
0003707557.tif 000014
【図１４】
0003707557.tif 000015
【図１５】
0003707557.tif 000016
【図１６】
0003707557.tif 000017
【図１７】
0003707557.tif 000018
【図１８】
0003707557.tif 000019
【図１９】
0003707557.tif 000020
【図２０】
0003707557.tif 000021
【図２１】
0003707557.tif 000022